(57)【特許請求の範囲】
【請求項１】
机やテーブルなどの接地面に載置可能な容器本体と、この容器本体に回動自在にヒンジ結合される蓋体とを備えるヒンジ式開閉容器において、
前記容器本体は、その内部に、２つのドラムを容器本体の幅方向に横並びに収納する凹部と共に、小物を収納する凹部が形成された別体の中枠を備え、
この中枠は、２つのドラムを収納する凹部と、小物を収納する凹部とを仕切る仕切壁と、この仕切壁からヒンジ結合部の反対側に向かって突出して小物を担持する天壁と、この天壁の末端から上方に起立して当該天壁に担持された小物の側面を押さえる上壁と、天壁の末端から容器本体の底部に向かって垂下する下壁とからなり、前記容器本体との間に空間を画成する、縦断面形状がＨ型のドーム部を有し、
前記空間は、前記蓋体が開く際の開放側端部と、ヒンジ部を設けたヒンジ部側端部との中間に位置する中心軸線から前記開放側端部までの開放側領域内に画成され、この空間内に、容器本体の幅方向全体に延在する重心調整用の錘を備えることを特徴とするヒンジ式開閉容器。
【請求項２】
前記ヒンジ式開閉容器は、前記蓋体の内側に鏡を備えるコンパクトである、請求項１記載のヒンジ式開閉容器。
【発明の詳細な説明】
【０００１】
【発明の属する技術分野】
本発明は、机やテーブルなどの接地面に載置可能な容器本体と、この容器本体に回動自在にヒンジ結合される蓋体とを備えるヒンジ式開閉容器に関するものである。
【０００２】
【従来の技術】
こうしたヒンジ式開閉容器は、例えば、コンパクトなどの化粧料容器として用いられるため、蓋体を開いた際に、この蓋体を適切な開き角度に位置決めした状態で、机やテーブルなどの接地面に載置できることが好ましい。
【０００３】
【発明が解決しようとする課題】
しかしながら、上記したようなヒンジ式開閉容器は、その一端がヒンジ結合された構造であるため、例えば、ヒンジ式開閉容器を大型化した場合、容器本体に収納した物品を取り出して、蓋体を開いたまま接地面に載置すると、コンパクトがヒンジ側の向きに転倒しやすくなるという不都合があった。特に、コンパクトとして用いたヒンジ式開閉容器にあっては、蓋体の内側に鏡を配置する場合があるため、コンパクト自体の大型化を図ろうとすると、コンパクト全体としての重心が蓋体に移動してしまい、こうした転倒の問題が顕著に表れる。
【０００４】
本発明は、上述した事実に鑑みてなされたものであり、蓋体を開いたまま接地面に載置することができるヒンジ式開閉容器を提供することを目的とする。
【０００５】
【課題を解決するための手段】
本発明であるヒンジ式開閉容器は、机やテーブルなどの接地面に載置可能な容器本体と、この容器本体に回動自在にヒンジ結合される蓋体とを備えるヒンジ式開閉容器において、容器本体は、その内部に、２つのドラムを容器本体の幅方向に横並びに収納する凹部と共に、小物を収納する凹部が形成された別体の中枠を備え、この中枠は、２つのドラムを収納する凹部と、小物を収納する凹部とを仕切る仕切壁と、この仕切壁からヒンジ結合部の反対側に向かって突出して小物を担持する天壁と、この天壁の末端から上方に起立して当該天壁に担持された小物の側面を押さえる上壁と、天壁の末端から容器本体の底部に向かって垂下する下壁とからなり、前記容器本体との間に空間を画成する、縦断面形状がＨ型のドーム部を有し、前記空間は、蓋体が開く際の開放側端部と、ヒンジ部を設けたヒンジ部側端部との中間に位置する中心軸線から開放側端部までの開放側領域内に画成され、この空間内に、容器本体の幅方向全体に延在する重心調整用の錘を備えることを特徴とするものである。
【０００６】
本発明であるヒンジ式開閉容器は、上記発明において、蓋体の内側に鏡を備えるコンパクトであることが好ましい。
【０００７】
【発明の実施の形態】
以下、図面を参照して本発明の一実施形態を詳細に説明する。
【０００８】
図１および図２はそれぞれ、本実施形態であるコンパクト１０を示す斜視図および、蓋体に設けたヒンジ部から容器本体を示す一部断面図である。また、図３は、このコンパクト１０をヒンジ部側から示す背面図である。なお、図４は、図２のＡ−Ａ断面図である。
【０００９】
コンパクト１０は、例えば、ＡＢＳ（アクリロニトリル−ブタジエン−スチレン）などの合成樹脂からなる大型のものであり、図２に示す如く、２つのドラムＣ1，Ｃ2およびアイブラシや紅ブラシなどの小物Ｔを収納する中枠１１と、この別体の中枠１１を収納可能な容器本体１２と、この容器本体１２の２箇所に回動自在にヒンジ結合される蓋体１３とを備え、この蓋体１３の内側には、図４に示す如く、鏡１３ｍが取り付けられている。
【００１０】
またコンパクト１０は、容器本体１２に対して回動自在に支持されたフックピース１２ｆを備え、蓋体１３の閉じ状態では蓋体１３に設けたフック部を容器本体１２のフック部に引っ掛けて容器本体１２に対してロックし、蓋体１３を開く際にはフックピース１２ｆを押して容器本体１２に対するロックを強制的に解除する。
【００１１】
容器本体１２に対する蓋体１３の開き動作は、図１，３に示す如く、容器本体１２に設けたヒンジ部１４と、蓋体１３に設けたヒンジ部１５とを打ち込みピン１６を介して回動自在に結合させることよって達成される。なお、打ち込みピン１６は、蓋体１３に設けたヒンジ部１５または容器本体１２に設けたヒンジ部１４に対して一定の締め代（例えば、締まり嵌め）をもって圧入嵌合されるため、この打ち込みピン１６の締め強度によって、回動する蓋体１３に対しその回動に逆らう向きの開閉トルクを生じさせ、蓋体１３が自重によって容器本体１２に自由に回動しないようになっているが、この位置決め構造は任意のものである。
【００１２】
図５〜図８はそれぞれ、蓋体１３の開き動作を図２のＢ−Ｂ断面で示す作用図である。但し、図５（ａ），（ｂ）はそれぞれ、容器本体１２に対して蓋体１３を完全に閉じた状態および、そのときのヒンジ部周辺を拡大して示し、図６および図７はそれぞれ、容器本体１２に対して蓋体１３が１２０度だけ開いた状態および、容器本体１２に対して蓋体１３が１８０度だけ開いた状態を示す。また図８（ａ），（ｂ）はそれぞれ、容器本体１２に対して蓋体１３が最も開いた状態および、そのときのヒンジ部周辺を拡大して示す。
【００１３】
本実施形態において、蓋体１３は、蓋体１３に設けた２つのヒンジ部１５にそれぞれ、このヒンジ部１５周りに沿って形成された溝１５ｎを有するものである一方、容器本体１２は、この容器本体１２に一体に収納された中枠１１のヒンジ側部分に、これら溝１５ｎに対応する２つの舌片１１ｐを一体に有するものであって、これらの舌片１１ｐはそれぞれ、蓋体１３の回動に際し、溝１５ｎに干渉することなく該溝１５ｎの回動方向端縁１５ｎ(e)を越えたヒンジ部１５周りに圧接する。この場合、溝１５ｎは、蓋体１３を開くに際し、舌片１１ｐがヒンジ部１５周りを円滑に回動するためのガイドとして機能する。
【００１４】
従って、蓋体１３を開く際には、中枠１１に設けた舌片１１ｐが蓋体１３に設けた溝１５ｎの回動方向端縁１５ｎ(e)を越えたヒンジ部１５周りに対して圧接しているため、蓋体１３が自重によって容器本体１２に対して自由に回動して蓋体１３が使用者の意思に反して閉じることがなく、例えば、蓋体１３を１２０°だけ開いた際に、舌片１１ｐが溝１５ｎの回動方向端縁１５ｎ(e)に圧接して、この蓋体１３を開き角度１２０°の位置に位置決めできる。さらに、蓋体１３を１２０°を越えて開く場合には、舌片１１ｐは溝１５ｎの回動方向端縁１５ｎ(e)を越えたヒンジ部１５周りに対して圧接しているだけなので、好みの角度で蓋体１３を保持することが可能になり、また、蓋体１３の開き動作は勿論、閉じ動作も確保される。
【００１５】
なお、本実施形態の場合、舌片１１ｐおよび溝１５ｎを２箇所のヒンジ部１４，１５それぞれに設けたことにより、舌片１１ｐおよび溝１５ｎ間に生じる圧接力を大きくすることができる。しかも、この場合、ヒンジ結合する個数を３箇所以上に変更することにより、様々な大きさや重量の蓋体１３に対応させることができる。また、本実施形態では、舌片１１ｐの幅が溝１５ｎに比べて小さく設定されているが、舌片１１ｐおよび溝１５ｎ間の圧接力を変更するに際して、舌片１１ｐの幅が溝１５ｎの幅とほぼ等しくなるように設定することが可能である。さらに、中枠１１に舌片１１ｐを一体成形したが、中枠１１を用いないで、舌片１１ｐを容器本体１２と一体に成形することも可能である。
【００１６】
さらに、２つの舌片１１ｐはそれぞれ、図８に示す如く、蓋体１３の回動に際し、溝１５ｎに干渉することなく、弾性変形することによって溝１５ｎの回動方向端縁１５ｎ(e)を越えたヒンジ部１５周りに圧接する構造になっている。この場合、打ち込みピン１６の締め代を調整することなく位置決めが可能となり、加えて、いずれの角度においても、蓋体１３のスムースな開閉が可能となる。
【００１７】
ところで、コンパクトなどに用いたヒンジ式開閉容器は、その一端がヒンジ結合された構造であるため、例えば、本実施形態の如く大型化すると、ドラムＣ1，Ｃ2および小物Ｔを取り出して蓋体１３を開いたまま机やテーブルなどの接地面に載置しようとする場合、転倒しやすくなるという不都合がある。特に、こうしたコンパクト１０にあっては、蓋体１３の内側に鏡１３ｍを配置しているため、コンパクト自体としての重心が蓋体１３に移動して高くなり、こうした転倒の問題が顕著に表れる。
【００１８】
そこで、本実施形態では、図２に示す如く、容器本体１２は、蓋体１３が開く際の開放側端部１２ｅ(f)と、ヒンジ部１４を設けたヒンジ部側端部１２ｅ(b)との中間、即ち、開放側端部１２ｅ(f)から中心軸線Ｘに至る距離Ｌ1と、中心軸線Ｘからヒンジ部側端部１２ｅ(b)に至る距離Ｌ2とが等しくなる位置に中心軸線Ｘを有し、この中心軸線Ｘから開放側端部１２ｅ(f)までの開放側領域Ｓ（斜線部分）内に重心調整用の錘２０を備える。
【００１９】
錘２０は、図５〜図８に示す如く、中枠１１は、２つのドラムＣ1,Ｃ2を収納する凹部ｎ1と、小物Ｔを収納する凹部ｎ2とを仕切る仕切壁１１ｆと、この仕切壁１１ｆからヒンジ部１４の反対側に向かって突出するように設けられた小物Ｔを担持する天壁１１ｃと、この天壁１１ｃの末端から上方に起立して当該天壁１１ｃに担持された小物Ｔの側面を押さえる上壁１１ｕと、天壁１１ｃの末端から容器本体１２の底部１２に向かって垂下する下壁１１ｄとからなる、縦断面形状がＨ型のドーム部１１ｎの天壁１１ｃと、容器本体１２の底面１２ｂとで画成された空間Ｒに収納されている。本実施形態の場合、錘２０は、接着剤などを介して中枠１１または容器本体１２に取り付けられているが、コンパクト１０を載置したときに錘２０が容器本体１２の底面１２ｂに接触するものであれば、接着剤などを用いて空間Ｒ内に固定しなくともよい。また、他の形態として、錘２０は容器本体の底面１２ｂに埋め込んでもよい。
【００２０】
ところで本実施形態の錘２０は、中心軸線Ｘに沿った容器本体１２の幅方向全体に延在する板形のものである。特に本実施形態のように、錘２０を板形とした場合、個々の錘を薄肉に形成すれば、複数の錘２０を積層することによって重量を変更することができるため、重心の調整を容易に行うことができる。但し、錘２０は、重心を調整するためのものであるところから、錘２０の形状は板形状に限ることなく、円板状など様々な形状を採用できる。また錘２０は、開放側領域Ｓ1内に配置できるものであれば、その大きさや個数は問わない。
【００２１】
従って本実施形態によれば、容器本体１２が、蓋体１３が開く際の開放側端部１２ｅ(f)と、ヒンジ部１４を設けたヒンジ部側端部１２ｅ(b)との中間に位置する中心軸線Ｘを有し、この中心軸線Ｘから開放側端部１２ｅ(f)までの開放側領域Ｓ内に重心調整用の錘２０を備えることにより、例えば、本実施形態の如くコンパクトを大型化した場合、蓋体１３を開いて容器本体１２に収納したドラムＣ1，Ｃ2や小物Ｔを取り出しても、コンパクト１０を転倒させることなく、蓋体１３を開いたまま机やテーブルなどの接地面に載置することができる。
【００２２】
また本実施形態によれば、容器本体１２が、その内部に別体の中枠１１を備え、この中枠１１と容器本体１２との間に重心調整用の錘２０を配置するものであることにより、中枠１１の形状を変更するだけで、様々な形状の錘を取り付けることができる。
【００２３】
さらに本実施形態は、蓋体１３を開いた時に鏡１３ｍによって重心が高くなるコンパクトl０であるから、その転倒防止に最も有効である。
【００２４】
上述したところは、本発明の好適な実施形態を示したにすぎず、当業者によれば、請求の範囲において、種々の変更を加えることができる。例えば、コンパクトは、ＡＢＳなどの合成樹脂からなる中枠１１、容器本体１２および蓋体１３は、それぞれが異なる合成樹脂からなるものであってもよい。またコンパクトは、大型のものに限らず、ファンデーションやパフなどを収納する小型のものであってもよい。また中枠に収納する物品も化粧品などに限らず、様々なものを挙げることができるため、本発明に係るヒンジ式開閉容器は、例えば、錠剤などの薬品を収納するピルケースとして用いてもよい。
【００２５】
【発明の効果】
従って、本発明であるヒンジ式開閉容器によれば、容器本体が、蓋体が開く際の開放側端部と、ヒンジ部を設けたヒンジ部側端部との中間に位置する中心軸線を有し、この中心軸線から開放側端部までの開放側領域内に重心調整用の錘を備えることにより、例えば、ヒンジ式開閉容器を大型化した場合、蓋体を開いて容器本体に収納した物品を取り出しても、ヒンジ式開閉容器を転倒させることなく、蓋体を開いたまま机やテーブルなどの接地面に載置することができる。
【００２６】
また本発明によれば、容器本体が、その内部に別体の中枠を備え、この中枠と容器本体との間に重心調整用の錘を配置するものであることにより、中枠の形状を変更するだけで、様々な形状の錘を取り付けることができる。
【００２７】
さらに本発明は、蓋体を開いた時に鏡によって重心が高くなるコンパクトであるから、その転倒防止に最も有効である。
【図面の簡単な説明】
【図１】  本発明の一実施形態である大型コンパクトを示す斜視図である。
【図２】  同実施形態において、蓋体に設けたヒンジ部から容器本体を示す一部断面図である。
【図３】  同実施形態をヒンジ部側から示す背面図である。
【図４】  図２のＡ−Ａ断面図である。
【図５】  （ａ），（ｂ）はそれぞれ、図２のＢ−Ｂ断面にて、容器本体に対して蓋体を完全に閉じた状態を示す作用図および、その拡大図である。
【図６】  図２のＢ−Ｂ断面にて、容器本体に対して蓋体を１２０度だけ開いた状態を示す作用図である。
【図７】  図２のＢ−Ｂ断面にて、容器本体に対して蓋体を１８０度だけ開いた状態を示す作用図である。
【図８】  （ａ），（ｂ）はそれぞれ、図２のＢ−Ｂ断面にて、容器本体に対して蓋体を最も開いた状態を示す作用図および、その拡大図である。
【符号の説明】
１０  大型コンパクト
１１  中枠
１１ｃ  天壁
１１ｕ  上壁
１１ｆ  仕切壁
１１ｄ  下壁
１１ｐ  舌片
１１ｎ  ドーム部
１２  容器本体
１２ｂ  底面
１２ｆ  フックピース
１２ｅ(f)  開放側端部
１２ｅ(b)  ヒンジ部側端部
１３ｍ  鏡
１４  ヒンジ部（容器本体）
１５  ヒンジ部（蓋体）
１５ｎ  溝
１６  打ち込みピン
２０  重心調整用の錘
ｎ1  ドラムを収納する凹部
ｎ2  小物を収納する凹部
Ｌ1  開放側端部から中心軸線に至る距離
Ｌ2  中心軸線からヒンジ部側端部に至る距離
Ｒ  空間
Ｓ  中心軸線から開放側端部までの開放側領域
Ｘ  中心軸線
【図１】
0004169982.tif 000002
【図２】
0004169982.tif 000003
【図３】
0004169982.tif 000004
【図４】
0004169982.tif 000005
【図５】
0004169982.tif 000006
【図６】
0004169982.tif 000007
【図７】
0004169982.tif 000008
【図８】
0004169982.tif 000009